(57)【要約】【課題】歯科用器機における水回路に、外部（空気中）から細菌等が侵入するのを防止するようにした。【解決手段】歯科治療用インスツルメント６は、歯科治療中に、被治療箇所を冷却等するための水回路を具備している。この水回路は、ワークテーブル２の水回路２１、インスツルメントホース７内の水回路を通してインスツルメント６の水回路に供給され、該インスツルメント６の先端から被治療箇所に向けて放出される。これら各器機の水回路に紫外線ＬＥＤ２０を設け、該ＬＥＤ２０から紫外線を水回路内に照射し、該水回路内に細菌が侵入するのを防止する。【選択図】図１
2006280831.tif 000002
【特許請求の範囲】
【請求項１】
水回路を有する歯科用器機において、該水回路の一部に紫外線ＬＥＤを有し、該紫外線ＬＥＤから紫外線を前記水回路内に照射するようにしたことを特徴とする水回路を有する歯科用器機。
【請求項２】
前記水回路を有する歯科用器機は、歯科治療用インスツルメントであり、該歯科治療用インスツルメント内の水回路の少なくとも一部を透光体で構成し、該透光体を通して前記水回路内に紫外線ＬＥＤよりの紫外線を照射するようにしたことを特徴とする請求項１に記載の水回路を有する歯科用器機。
【請求項３】
前記水回路を有する歯科用器機は、インスツルメントホースであり、該インスツルメントホースの入口側端部及び／又は出口側端部に前記紫外線ＬＥＤが設けられていることを特徴とする請求項１に記載の歯科用器機。
【請求項４】
前記水回路を有する歯科用器機は、ワークテーブルであり、該ワークテーブル内の水回路内に紫外線ＬＥＤからの紫外線を照射するようにしたことを特徴とする請求項１に記載の歯科用器機。
【請求項５】
前記水回路を有する歯科用器機は、うがい水を放出するためのスピットンであり、該スピットンのうがい水放出管のまわりに紫外線ＬＥＤが設けられていることを特徴とする請求項１に記載の水回路を有する歯科用器機。
【請求項６】
前記水回路を有する歯科用器機は、歯科治療ユニットに設けられた給水タンクであり、該給水タンク内の水に紫外線ＬＥＤからの紫外線を照射するようにしたことを特徴とする請求項１に記載の歯科用器機。
【請求項７】
前記水回路を有する歯科用器機は、歯科治療ユニットに設けられた温水タンクであり、該温水タンク内の温水に紫外線ＬＥＤからの紫外線を照射するようにしたことを特徴とする請求項１に記載の歯科用器機。
【発明の詳細な説明】
【技術分野】
【０００１】
本発明は、歯科用器機、より詳細には、水回路を有する歯科用器機において、前記水回路内へ該水回路の外気開放端口から細菌が侵入するのを防止するようにした歯科用器機に関する。
【背景技術】
【０００２】
図３は、本発明が適用される歯科治療ユニットの一例を説明するための概略全体構成図で、図中、１０は歯科治療ユニットで、該ユニット１０は、治療椅子１，ワークテーブル２，スピットン３，うがい水噴射管４，術者（ドクター）用インスツルメントホルダー５，術者用インスツルメント６，インスツルメントホース７，アシスタント用インスツルメントホルダー８等から成り、インスツルメントホルダー５には、歯科治療において使用する種々のインスツルメント６が収納されており、周知のように、歯科治療に当り、患者は椅子１に座り、頭を安頭台１１に固定して治療を受ける。治療中、術者は治療椅子１を上下動，倒起動，傾斜動等させて、患者を治療しやすい姿勢にし、インスツルメントホルダー５よりインスツルメント６を引き出して、治療を行う。
【０００３】
アシスタントホルダー８には、シリンジ，バキューム管，排唾管等９が準備されており、治療時、アシスタントが患者の口腔内を清浄し、或いは、患者の口腔内に生じる汚液、唾液等を吸引・排出するようにしている。このアシスタントホルダー８は、スタンドアロン式のものがあるが、図に示すように、アーム１２を通して固定部材、例えば、スピットン給排水ボックス１３に固定されているものもある。
【発明の開示】
【発明が解決しようとする課題】
【０００４】
上述のごとき、歯科治療ユニットにおいて、術者は、インスツルメントホルダー５からインスツルメント６を取り出して、例えば、エアータービンを取り出して歯牙の切削等を行うが、その際、当該インスツルメント６から水を噴射して被治療箇所を冷却し、アシスタントは、アシスタントホルダー８から、例えば、シリンジ９を取り出して患者の口腔内を清掃すること等が行われる。
【０００５】
上述のように、歯科治療ユニットにおいては、インスツルメント６，９内の水回路を通して患者の口腔内に水を噴射し、或いは、うがい時、うがい水噴射管４よりうがい水を放出し、該うがい水にて口腔内をうがいすることが行われている。
【０００６】
而して、前記インスツルメント６，９等は、インスツルメントホルダー５，８等に懸架されており、その間に、これらインスツルメント６，９の水回路内に、外気より細菌等が侵入し、該細菌がインスツルメントの水回路内で繁殖し、これら細菌が、次回、インスツルメント使用時、患者の口腔内に入り、非衛生的であった。同様のことが、うがい水噴射管４についても言え、非使用時、該うがい水噴射管４に外部より細菌が侵入し、該うがい水噴射管４に連通する水回路内で繁殖し、次回、うがい時、この細菌が患者の口腔内に入り、非衛生的であった。
【０００７】
本発明は、上述のごとき実情に鑑みてなされたもので、特に、歯科用器機における水回路において、該水回路内に外部（外気）より細菌が侵入するのを防止し、もって、該水回路内に細菌が繁殖するのを防止し、より衛生的な歯科治療を行うことのできる歯科用器機を提供することを目的としてなされたものである。
【課題を解決するための手段】
【０００８】
請求項１の発明は、水回路を有する歯科用器機において、該水回路の一部に紫外線ＬＥＤを有し、該紫外線ＬＥＤから紫外線を前記水回路内に照射するようにしたことを特徴としたものである。
【０００９】
請求項２の発明は、請求項１の発明において、前記水回路を有する歯科用器機は、歯科治療用インスツルメントであり、該歯科治療用インスツルメント内の水回路の少なくとも一部を透光体で構成し、該透光体を通して前記水回路内に紫外線ＬＥＤよりの紫外線を照射するようにしたことを特徴としたものである。
【００１０】
請求項３の発明は、請求項１の発明において、前記水回路を有する歯科用器機は、インスツルメントホースであり、該インスツルメントホースの入口側端部及び／又は出口側端部に前記紫外線ＬＥＤが設けられていることを特徴としたものである。
【００１１】
請求項４の発明は、請求項１の発明において、前記水回路を有する歯科用器機は、ワークテーブルであり、該ワークテーブル内の水回路内に紫外線ＬＥＤからの紫外線を照射するようにしたことを特徴としたものである。
【００１２】
請求項５の発明は、請求項１の発明において、前記水回路を有する歯科用器機は、うがい水を放出するためのスピットンであり、該スピットンのうがい水放出管のまわりに紫外線ＬＥＤが設けられていることを特徴としたものである。
【００１３】
請求項６の発明は、請求項１の発明において、前記水回路を有する歯科用器機は、歯科治療ユニットに設けられた給水タンクであり、該給水タンク内の水に紫外線ＬＥＤからの紫外線を照射するようにしたことを特徴としたものである。
【００１４】
請求項７の発明は、請求項１の発明において、前記水回路を有する歯科用器機は、歯科治療ユニットに設けられた温水タンクであり、該温水タンク内の温水に紫外線ＬＥＤからの紫外線を照射するようにしたことを特徴としたものである。
【発明の効果】
【００１５】
本発明によると、歯科用器機における水回路において、該水回路内に紫外線を照射する紫外線ＬＥＤを設け、該水回路内に細菌等が侵入するのを防止するようにしたので、より衛生的な歯科治療ユニットを提供することができる。
【発明を実施するための最良の形態】
【００１６】
図１（Ａ）は、本発明が適用される歯科治療ユニットの一部（ワークテーブル部）を示す図で、図中、２はワークテーブル、５は術者用インスツルメントホルダー、６は術者用インスツルメント、７は該インスツルメント６に着脱自在に連結され、該インスツルメント６にエアー、電気、水等を供給するインスツルメントホースで、歯科治療に当って、術者は、周知のように、該インスツルメントホルダー５から歯科治療に必要なインスツルメント６を取り出して、患者の口腔内治療を行うが、これらインスツルメント６は、非治療時は、図示のように、インスツルメントホルダー５に納められており、これらインスツルメント内に設けられている水回路は、その先端部開口が外気に連通しており、該先端部開口を通して、該水回路内に細菌が侵入し、該水回路内で繁殖し、これらが、次回、使用時に、患者の口腔内に噴出され、非常に非衛生的であった。
【００１７】
本発明は、上述のごとき実情に鑑みてなされたもので、歯科治療ユニットに設けられている水回路内に、紫外線ＬＥＤ２０からの紫外線を作用させ、非使用時、該水回路の大気に連通している開口部から細菌が侵入するのを防止するようにし、歯科治療ユニットの水回路における、前述のごとき、非衛生を解消したものである。
【００１８】
図１（Ｂ）は、図１（Ａ）に示したインスツルメントホース７をワークテーブル２から取り外した時の外観図で、図中、２０は本発明によって取り付けられた紫外線ＬＥＤを示し、該紫外線ＬＥＤ２０は、インスツルメント６内の水回路の一部、図示例の場合、インスツルメントホース７との接続点側、或いは、インスツルメントホース７の流入側（ワークテーブル２との接続点側）７１或いは流出側（インスツルメント６との接続側）７２に設けられており、更には、図１（Ａ）に示したワークテーブル２の水回路２１において、インスツルメントホース７との接続端２１１側に設けられている。
【００１９】
これら紫外線ＬＥＤ２０は、インスツルメントホース７がワークテーブル２側の水回路２１に接続され、該インスツルメントホース７にインスツルメント６が連結されている時は、これら全てのＬＥＤ２０が点灯され、インスツルメント６がインスツルメントホース７から離脱された時は、インスツルメントホース７の水回路及びワークテーブル２の水回路に対応して設けられた紫外線ＬＥＤ２０が点灯され、インスツルメントホース７がワークテーブル２の水回路から切り離された時は、該ワークテーブル２側の紫外線ＬＥＤ２０が点灯され、常に、水回路の大気に連通している側のＬＥＤ２０が点灯されており、外気（大気）よりの細菌がユニット内の水回路に侵入するのを防止するようにしている。なお、切り離されたインスツルメント、インスツルメントホース等は、オートクレーブ等によって殺菌、滅菌等されるので、取り外されたこれらの器機内に細菌等が侵入する心配はない。
【００２０】
図１（Ｃ）は、ワークテーブル２内の水回路２１の一詳細を説明するための要部概略構成図で、該水回路２１の流出側は、図示のように、ワークテーブル２より下方に向けて曲げられ、その先端部２１１に、インスツルメントホース７の流入端７１が連結されるようになっている。この水回路２１の一部は、例えば、石英管等の透光性のチューブ２２で構成され、その外側に紫外線ＬＥＤ２０が設けられており、この紫外線ＬＥＤ２０からの紫外線が該水回路内に照射され、特に、該水回路２１からインスツルメントホース７が取り外された時などに該水回路内に外部（外気）から細菌が侵入するのを防止するようにしている。
【００２１】
図２は、本発明の他の実施例を説明するための概略構成図で、図２に示した例は、本発明による紫外線ＬＥＤ２０を、スピットン３のうがい水放出管４に設けたもので、図２（Ａ）は、コップ式うがい管４に紫外線ＬＥＤ２０を設けた例、図２（Ｂ）は噴射式うがい管４に紫外線ＬＥＤ２０を設けた例を示し、いずれも、水回路４’を紫外線ＬＥＤ２０からの紫外線が横切って照射されており、これにより、大気中の細菌が紫外線照射部を通して該水回路内の奥部に侵入するようなことはなく、衛生的にうがいをすることができる。
【００２２】
以上に、本発明を歯科治療ユニットのインスツルメント用水回路、及び、うがい用水回路に適用した例について説明したが、本発明は、図示実施例に限定されるものではなく、必要に応じて、適宜、所定の水回路に適用されるものであり、例えば、図１（Ｃ）に示したように、水回路の一部を透光性の部材で構成し、その外側より紫外線ＬＥＤからの紫外線を照射するようにするとよい。
【図面の簡単な説明】
【００２３】
【図１】本発明が適用される歯科治療ユニットの一部を示す図である。
【図２】本発明の他の実施例を説明するための概略構成図である。
【図３】本発明が適用される歯科治療ユニットの一例を説明するための概略全体構成図である。
【符号の説明】
【００２４】
１…歯科用治療椅子、２…ワークテーブル、３…スピットン、５…インスツルメントホルダー、６…インスツルメント、７…インスツルメントホース、８…アシスタント用インスツルメントホルダー、２０…紫外線ＬＥＤ、２１…水回路、２２…透光性水路部。
【図１】
2006280831.tif 000003
【図２】
2006280831.tif 000004
【図３】
2006280831.tif 000005